【手続補正書】
【提出日】平成16年5月6日(2004.5.6)
【手続補正１】
【補正対象書類名】明細書
【補正対象項目名】請求項４
【補正方法】変更
【補正の内容】
【請求項４】
スラリーを収納するタンク本体の内部に、タンク本体外に設置した温調ユニットから供給される熱媒体の通過で上記スラリーの温度を調整する熱交換コイルを設け、上記タンク本体の外周に熱媒体を収納する熱交換室を設け、この熱交換室内に上記温調ユニットで熱媒体を給排するようにしたワイヤソー用スラリータンク。
【手続補正２】
【補正対象書類名】明細書
【補正対象項目名】００１５
【補正方法】変更
【補正の内容】
【００１５】
上記スラリー供給部とリターン通路にそれぞれ流量調整バルブを設け、スラリー供給路とリターン通路へのスラリーの流量を設定することができるようになっていると共に、スラリー噴射部材はタンク本体の底部でポンプの直下の位置に配置され、その上面に設けた噴射孔からタンク本体内にスラリーを噴射することができ、スラリーを攪拌することになり、このように、ポンプで吸引したスラリーの一部をタンク本体内に戻してスラリーを攪拌すると、電動攪拌機を別途設ける必要がなくなり、タンクの全体形状を小型化できると同時に、電動攪拌機が省ける分だけ製作コストが削減できることになる。
【手続補正３】
【補正対象書類名】明細書
【補正対象項目名】００２６
【補正方法】変更
【補正の内容】
【００２６】
上記タンク本体２２の天板２６に設けたスラリー入口２８と、ワイヤソーの切断部の下方位置に配置したスラリー回収容器１２が、スラリー回収パイプ２９で接続され、切断部で使用したスラリーＣは、スラリー回収容器１２で集められてタンク本体２２内に戻ることになる。
【手続補正４】
【補正対象書類名】明細書
【補正対象項目名】００２７
【補正方法】変更
【補正の内容】
【００２７】
上記ポンプ２７は、浸漬形流量ポンプを用い、天板２６の上面にその回転軸を下向きにして固定したモータ３０と、このモータ３０の下面からタンク本体２２の内部に突出してタンク本体２２内のスラリーＣに浸漬し、回転軸３１の先端部を支持する支持体３２と、この支持体３２の下部に設けたポンプ室３３内で回転するよう回転軸３１に固定した羽根車３４とで形成され、モータ３０の起動により羽根車３４を回転させると、ポンプ室３３の上部吸引口に設けたフィルター３５を介してポンプ室３３内に吸引したスラリーＣを昇圧し、この昇圧されたスラリーＣは、支持体３２に形成した通路３６を通り、天板２６の外部に設けた吐出口３７から流出することになる。
【手続補正５】
【補正対象書類名】明細書
【補正対象項目名】００３２
【補正方法】変更
【補正の内容】
【００３２】
上記スラリー供給路４６には、スラリー噴射ノズル１１の手前に、ワイヤソーの起動と停止に合わせて開閉する自動開閉バルブ４８が設けられ、ワイヤソーの起動時に開弁してスラリーＣを切断部へ自動供給するようになっていると共に、このスラリー供給路４６とリターン通路４７にはそれぞれ手動の調整バルブ４９，５０が設けられ、両調整バルブ４９，５０により、スラリー噴射ノズル１１とスラリー噴射部材４１へのスラリー供給量を、例えば、スラリー噴射ノズル１１へは７０％、残り３０％がスラリー噴射部材４１へ供給されるように調整するようになっている。
【手続補正６】
【補正対象書類名】明細書
【補正対象項目名】００３３
【補正方法】変更
【補正の内容】
【００３３】
なお、図示の例ではポンプ２７の回転軸３１に設けた攪拌羽根４０の回転と、ポンプ２７で吸引したスラリーＣをスラリー噴射部材４１で噴射することによる二種類の同時攪拌を行う例を示したが、必ずしも両方を同時に採用する必要はなく、ポンプ２７の回転軸３１に設けた攪拌羽根４０とスラリー噴射部材４１の何れか一方のみを採用してスラリーＣの攪拌を行うようにしてもよい。
【手続補正７】
【補正対象書類名】明細書
【補正対象項目名】００３４
【補正方法】変更
【補正の内容】
【００３４】
また、リターン通路４７には、手動の開閉バルブ５１を介して排出管５２が接続され、開閉バルブ５１を開くことにより、タンク本体２２内のスラリーＣを排出して交換することができるようになっている。
【手続補正８】
【補正対象書類名】明細書
【補正対象項目名】００３５
【補正方法】変更
【補正の内容】
【００３５】
上記タンク本体２２内には、ポンプ２７の支持体３２の外側を囲むようにして、スパイラル状の熱交換コイル５３をスラリーＣに浸漬する状態で設け、上記タンク本体２２の外部に温調ユニット５４を設置し、この温調ユニット５４の熱媒体供給パイプ５５と熱交換コイル５３の入口をタンク本体２２の天板２６に設けた入側ジョイント５６を介して接続し、また、温調ユニット５４の熱媒体回収パイプ５７と熱交換コイル５３の出口をタンク本体２２の天板２６に設けた出側ジョイント５８を介して接続し、温調ユニット５４から供給された熱媒体が熱交換コイル５３内を通過することにより、タンク本体２２内のスラリーＣを内部から冷却することになる。
【手続補正９】
【補正対象書類名】明細書
【補正対象項目名】００３８
【補正方法】変更
【補正の内容】
【００３８】
ワイヤソーが起動すると自動開閉バルブ４８が開弁し、ポンプ２７の起動による羽根車３４の回転でポンプアップされたタンク本体２２内のスラリーＣは、スラリー供給路４６を通り、スラリー噴射ノズル１１からワイヤソーの切断部分であるワークＢとワイヤＡに対して供給され、ワークＢとワイヤＡを冷却して温度上昇を抑え、ワークＢとワイヤＡを冷却したスラリーＣはスラリー回収容器１２に回収され、回収パイプ２９を介してタンク本体２２に戻る循環流となる。
【手続補正１０】
【補正対象書類名】明細書
【補正対象項目名】００４３
【補正方法】変更
【補正の内容】
【００４３】
上記ワイヤソーの切断停止時には、自動開閉バルブ４８が閉弁し、ポンプ２７も停止してスラリー噴射ノズル１１からのスラリーＣの噴射が停止すると共に、温調ユニット５４は、温度センサー１３との作用でタンク本体２２内のスラリーＣを所定の温度に維持して次の切断に備えている。
【手続補正１１】
【補正対象書類名】明細書
【補正対象項目名】符号の説明
【補正方法】変更
【補正の内容】
【符号の説明】
１      供給リール
２      回収リール
３      多溝ローラ
４      多溝ローラ
５      多溝ローラ
６      ガイドプーリ
７      ダンサーロール
８      ガイドプーリ
９      ダンサーロール
１０    送りテーブル
１１    スラリー噴射ノズル
１２    スラリー回収容器
１３    温度センサ
２１    スラリータンク
２２    タンク本体
２３    周壁
２４    外壁
２５    熱交換室
２６    天板
２７    ポンプ
２８    スラリー入口
２９    スラリー回収パイプ
３０    モータ
３１    回転軸
３２    支持体
３３    ポンプ室
３４    羽根車
３５    フィルター
３６    通路
３７    吐出口
３８    底蓋
３９    延長軸
４０    攪拌羽根
４１    スラリー噴射部材
４２    ブラケット
４３    通路
４４    スラリー噴射孔
４５    入口
４６    スラリー供給路
４７    リターン通路
４８    自動開閉バルブ
４９    調整バルブ
５０    調整バルブ
５１    開閉バルブ
５２    排出管
５３    熱交換コイル
５４    温調ユニット
５５    供給パイプ
５６    入側ジョイント
５７    回収パイプ
５８    入側ジョイント
５９    供給パイプ
６０    入口
６１    回収パイプ
６２    出口
Ａ      ワイヤ
Ｂ      ワーク
Ｃ      スラリー